(57)【特許請求の範囲】
【請求項１】
取り付け対象物に装着する装着部と、
メッセージを表示する表示部と、
前記装着部と前記表示部とを連結する連結部と、を有し、
前記連結部の幅方向における複数箇所に前記連結部の延設方向に沿って延びる切込が形成されていて、
複数条の前記切込により幅方向両端縁が形成された切込分割連結部には、折線部が形成されていることを特徴とする広告体。
【請求項２】
前記折線部は、前記切込分割連結部の長手方向両端部と、前記切込分割連結部の幅方向および長手方向における中間位置とのうちの、少なくとも一方に配設されていることを特徴とする請求項１記載の広告体。
【請求項３】
前記切込分割連結部の幅方向および長手方向における中間位置に配設された前記折線部の長手方向両端部には、平面視Ｖ字形状をなす補助折線部が形成されていることを特徴とする請求項２記載の広告体。
【発明の詳細な説明】
【技術分野】
【０００１】
本発明は広告体に関する。
【背景技術】
【０００２】
商品等の情報を顧客に案内するための広告体としては、様々なタイプのものが知られている。このような広告体の一つとして、商品の陳列棚に取り付けて表示部を陳列棚から離れた部分に表示させる広告体（特許文献１）や、表示部を陳列棚から離れた部分に表示させると共に表示部を揺動させることにより顧客の関心を集めるいわゆるスイングＰＯＰと呼ばれる広告体（特許文献２）がある。
【０００３】
特許文献１に開示されている広告体は、メッセージが描かれた表示部を陳列棚等に対して立体的に表示させることができ、陳列棚からの離間距離が調整可能な構成が開示されている。また、特許文献２に開示されているＰＯＰ広告の構成は、様々な形のＰＯＰ広告を形成することが可能なＰＯＰ用台紙に関する構成が開示されている。特許文献２に開示されている構成の中にはいわゆるスイングＰＯＰを構成することができる旨も記載されている。
【先行技術文献】
【特許文献】
【０００４】
【特許文献１】実用新案登録第３１７０６６２号
【特許文献２】特許第５６２７８１５号公報
【発明の概要】
【発明が解決しようとする課題】
【０００５】
ところで特許文献１，２に開示されている広告体の構成は、広告表示部と広告表示部を陳列棚等に連結させるための連結部とを有する一般的なＰＯＰまたはスイングＰＯＰ形式の広告体である。このような広告体は、使用時間が経過すると、クリープ現象により連結部の撓み量が増大し、広告部分のスイング量等が漸減し、最終的にはスイングＰＯＰとしての機能を果たさなくなってしまうといった課題がある。
【０００６】
そこで本発明は上記課題を解決すべくなされたものであり、その目的とするところは次のとおりである。すなわち、クリープ現象等の経時劣化により連結部の撓み量が増大しても、連結部の剛性を事後的に高めることにより、いわゆるスイングＰＯＰとしての機能を復元させることが可能な広告体を提供することにある。
【課題を解決するための手段】
【０００７】
上記課題を解決するため本願の発明者が鋭意研究した結果、以下の構成に想到した。
すなわち、本発明は、取り付け対象物に装着する装着部と、メッセージを表示する表示部と、前記装着部と前記表示部とを連結する連結部と、を有し、前記連結部の幅方向における複数箇所に前記連結部の延設方向に沿って延びる切込が形成されていて、複数条の前記切込により幅方向両端縁が形成された切込分割連結部には、折線部が形成されていることを特徴とする広告体である。
【０００８】
これにより、当初の使用状態で広告体を使用した後、クリープ現象により連結部がへたってしまっても、切込部分により、連結部を幅方向に分割して分割連結部を形成し、各々の分割連結部の撓み方向を交互にすることで、連結部としての剛性を事後的に高めることができる。これにより広告体を再び当初状態に近い状態で使用することができる。また、連結部を幅方向に分割し、複数の分割連結部からなる連結部で使用した後、切込連結部の剛性をも事後的に高めることもできる。
【０００９】
また、前記折線部は、前記切込分割連結部の長手方向両端部と、前記切込分割連結部の幅方向および長手方向における中間位置とのうちの、少なくとも一方に配設されていることが好ましい。
さらに、前記切込分割連結部の幅方向および長手方向における中間位置に配設された前記折線部の長手方向両端部には、平面視Ｖ字形状をなす補助折線部が形成されていることが好ましい。
【００１０】
これらにより、連結部を幅方向に分割し、複数の分割連結部からなる連結部で使用した後、切込連結部の剛性をも事後的に高めることができ、さらに長期にわたって当初状態に近い状態で広告体を継続的に使用することが可能になる。
【発明の効果】
【００１１】
本発明にかかる広告体の構成を採用することにより、クリープ現象等による連結部の経時劣化による機能低下を少なくとも一回は回復させることができるため、従来の広告体に比較して継続使用期間を大幅に延長させることができる。これにより広告体の材料資源の節約ができることはもちろんのこと、広告体の交換に要する手間を大幅に削減することが可能になる。そして、広告体としての機能を十分発揮し、商品販売等に貢献することができる。
【図面の簡単な説明】
【００１２】
【図１】本実施形態における広告体の使用前状態における平面図である。
【図２】本実施形態における広告体の使用状態における斜視図である。
【図３】１回目のメンテナンスを施した広告体の使用状態における斜視図である。
【図４】２回目のメンテナンスを施した広告体の使用状態における斜視図である。
【図５】（Ａ）図２中のＡ−Ａ線位置における断面図、（Ｂ）図３において（Ａ）と同じ位置における断面図、（Ｃ）図４において（Ａ）と同じ位置における断面図である。
【発明を実施するための形態】
【００１３】
以下、本発明にかかる広告体の実施形態について図面に基づいて説明する。
図１に示すように、本実施形態にかかる広告体１０は、商品陳列棚等の広告体１０の取り付け対象物に装着する装着部２０と、商品紹介のメッセージ等を表示する表示部３０と、装着部２０と表示部３０とを連結する連結部４０と、を有している。本実施形態においては広告体１０の材料として透明な合成樹脂製シートを用いているが、広告体１０の材料は薄肉シート体の材料で形成されていればよく、材料は特に限定されるものではない。
【００１４】
装着部２０の一面（上面）には両面粘着テープ２２が貼着されている。広告体１０の使用時には両面粘着テープ２２の剥離紙（図示せず）を取り外して粘着面を露出させた状態で、広告体１０の取り付け対象物に両面粘着テープ２２の粘着面を接着させればよい。ここでは、装着部２０の一面に両面粘着テープ２２を貼着させた形態について説明しているが、装着部２０を陳列棚の正面表示部（図示せず）に挟み込んで装着する等の他の装着方法により取り付け対象物に取り付けすることもできる。
【００１５】
表示部３０にはメッセージカード３２を保持するためのスリット３４が複数箇所に配設されている。スリット３４は一箇所のみにすることもできる。また、表示部３０の合成樹脂製シートを二重構造にしてメッセージカード３２を表示部３０の合成樹脂製シートで挟持させる構成を採用することもできる。本実施形態にかかる表示部３０は、メッセージカード３２を適宜収容または保持することができればよく、具体的な構成は特に限定されるものではない。
【００１６】
連結部４０には連結部４０の延設方向に沿って延びる２条の切込４２，４２が形成されている。本実施形態においては、２条の切込４２，４２は連結部４０に互いに平行となる配置でいずれも連結部４０の延設方向の全範囲にわたって形成されている。
【００１７】
切込４２は、図１に示す配置の他、連結部４０の延設方向における中途位置に未切込箇所ができるように、連結部４０の延設方向における長さ寸法の半分程度の長さの４条の切込４２を２条ずつ２列配置（２行２列のマトリクス状配置）となるように形成してもよい。このような切込４２の構成を採用することで、連結部４０が幅方向に分断されていない状態で使用することが可能になる。そして、必要時には使用者が未切込箇所を手で破断すれば長手方向に隣接する２条の切込４２，４２を連続させることができる。これにより連結部４０を幅方向に容易に分割することができる点において好都合である。
【００１８】
また、切込４２は、連結部４０を部材厚さ方向に貫通したものである他、いわゆるハーフカット状態の切込４２にしておくこともできる。ハーフカット状態の切込４２を採用した場合には、使用者が素手のみでハーフカット部分を連結部４０の部材厚さ方向に貫通する切込４２にすることができるようにしておくことが好適である。このように連結部４０は、切込４２の部分で幅方向に分割された３つの分割連結部４４に形成される。本実施形態においては、分割連結部４４のうち幅方向両端縁が切込４２により形成されたものを切込分割連結部４４Ａと称することにする。
【００１９】
切込分割連結部４４Ａには、折線部４６，４７と補助折線部４８とが形成されている。なお、折線部４６，４７と補助折線部４８の配設を省略することもできる。本実施形態の折線部４６，４７と補助折線部４８とは、切込分割連結部４４Ａを部材厚さ方向に刃型を押圧させることにより形成した。本実施形態の折線部４６，４７と補助折線部４８とは、切込分割連結部４４Ａの上面側から下面側に刃型を押圧させたプレス加工がなされているが、下面側から上面側に刃型を押圧させるプレス加工により形成してもよい。
【００２０】
折線部４６は切込分割連結部４４Ａの幅方向および長手方向の中間位置に形成されている。また、折線部４７は、切込分割連結部４４Ａの長手方向における両端部分に配設されている。具体的には、切込分割連結部４４Ａと装着部２０および表示部３０との境界部分に配設されている。この折線部４７を配設することにより、切込分割連結部４４Ａと装着部２０および表示部３０との間に折り曲げ部が形成しやすくなる。さらに、折線部４６の長手方向両端部である上下両端部分には平面視Ｖ字形状の補助折線部４８がＶ字の谷部分を位置合わせされた状態で配設されている。
【００２１】
次に、以上に説明した広告体１０の使用方法について説明する。なお、以下に説明する使用方法の順番は飽くまで一例であるので、使用方法の順番の一部は適宜入れ替えることができる。
まず、表示部３０に商品メッセージ等が描かれたメッセージカード３２の一部をスリット３４に差し込ませ、スリット３４に保持させる。次に、装着部２０の両面粘着テープ２２の図示しない剥離紙をはがして、広告体１０の取り付け対象である商品陳列棚（図示せず）に粘着面を貼着させる。広告体１０を商品陳列棚に取り付けした状態は、図２に示したような状態になる。
【００２２】
図２内のＡ−Ａ線における断面図を図５（Ａ）に示す。図５（Ａ）に示すように、このときの連結部４０は幅方向に分断されてはいるものの、分割連結部４４と切込分割連結部４４Ａとをそれぞれ同じ方向に（上側に凸をなした放物線形状に）撓ませた状態で表示部３０（図５（Ａ）には表れていない）を保持している。
【００２３】
図２および図５（Ａ）に示した状態で、広告体１０をいわゆるスイングＰＯＰとしてしばらく使用していると、装着部２０から撓んだ状態で表示部３０を吊り下げ保持している連結部４０がクリープ現象等の経時劣化により、いわゆるへたった状態になる。具体的には連結部４０の上側に凸をなしていた放物線が扁平になると共に表示部３０が装着部２０の高さ位置に対して大幅に下方側位置に位置するようになる。このように連結部４０が経時劣化すると、商品陳列棚から商品陳列棚の前方に向けて湾曲した状態で表示部３０を斜め上向きにした状態で保持することができず、表示部３０が当初位置から垂れ下がった状態になると共に表示部３０の正面の向きも正面を向いた状態になり、顧客に対する商品メッセージ等の訴求力が低下してしまう。
【００２４】
このように連結部４０の経時劣化が進んだ際には、連結部４０に形成されている切込４２部分で連結部４０を幅方向に３列以上の分割連結部４４にする。そして分割連結部４４の撓み方向が、図３および図５（Ｂ）に示すように隣接する分割連結部４４どうしで互い違いになるようにする。本実施形態においては、切込分割連結部４４Ａの折線部４７の部分を折り曲げることで、連結部４０の幅方向中央に位置する切込分割連結部４４Ａを広告体１０の下面側に凸となるように撓ませ、切込分割連結部４４Ａの両隣に位置する分割連結部４４を広告体１０の上面側に凸となるように撓ませる。広告体１０の連結部４０に以上のようなメンテナンスを施すことで、連結部４０全体としての剛性を事後的に高めることができ、クリープ現象によって、剛性が低下していた連結部４０の撓み状態を当初状態に近い状態に戻すことが可能になる。
【００２５】
図３に示す１回目のメンテナンスを施した広告体１０であっても、連結部４０は再びクリープ現象等の経時劣化が進む。２回目のメンテナンスは、図４および図５（Ｃ）に示すように、使用者が切込分割連結部４４Ａの両側から幅寸法を縮めるようにして切込分割連結部４４Ａに形成した折線部４６および補助折線部４８の部分で谷折りにするものである。これにより切込分割連結部４４ＡがＶ字型断面形状に変形することにより、切込分割連結部４４Ａの剛性が事後的に高められ、ひいては連結部４０の剛性が再度高められ、連結部４０の撓み具合を復旧させることができるのである。
【００２６】
以上に説明したように、本実施形態にかかる広告体１０は複数回にわたって、最も劣化がしやすい連結部４０に対して複数回のメンテナンスを施すことができる。また、これらのメンテナンスはいずれも道具を必要とせず、素手で行うことができる点も好都合である。このような簡単なメンテナンスを行うだけで、劣化した連結部４０の機能を複数回にわたって復旧させることができるから、従来のスイングＰＯＰに比較して大幅に寿命の長いスイングＰＯＰ方式の広告体１０とすることができる。
【００２７】
以上に本発明にかかる広告体１０について実施形態に基づいて詳細に説明を行ったが、本発明の技術的範囲は、以上の実施形態に限定されるものではない。例えば、本実施形態においては、連結部４０に２条の切込４２を形成して連結部４０を幅方向に３分割しているが、切込４２は３条以上形成してもよい。また、連結部４０に形成する切込４２を２行２列のマトリクス状配置にした形態について説明しているが、切込４２の連結部４０の延設方向における分割数は３分割以上に分割した形態を採用することもできる。
【００２８】
また、折線部４６と補助折線部４８とは、刃型を切込分割連結部４４Ａの部材厚さ方向に押圧するプレス加工により形成しているが、折線部４６と補助折線部４８とは、切込分割連結部４４Ａの部材厚さ方向をハーフカットすることにより形成してもよい。要は、切込分割連結部４４Ａの部材厚さ方向における断面形状をＶ字型形状に変形させることができればよいのである。
【００２９】
また、２回目のメンテナンスを施す際には、切込分割連結部４４Ａと分割連結部４４の撓み方向をそれぞれ入れ替えるようにしてもよい。切込分割連結部４４Ａと分割連結部４４の撓み方向を入れ替えることによっても連結部４０としての剛性を回復させることができる。
【００３０】
また、商品メッセージ等が記載されたメッセージカード３２を表示部３０のスリット３４に保持させた形態を説明しているが、表示部３０の正面に商品メッセージ等を直接記入または印刷した形態を採用することもできる。
以上の変形例の他、実施形態において説明した変形例等を適宜組み合わせた形態を採用することも可能である。
【符号の説明】
【００３１】
１０  広告体，
２０  装着部，２２  両面粘着テープ，
３０  表示部，３２  メッセージカード，３４  スリット，
４０  連結部，４２  切込，４４  分割連結部，４４Ａ  切込分割連結部，
４６，４７  折線部，４８  補助折線部
【要約】
【課題】  クリープ現象等の経時劣化により、保持部の撓み量が増大しても、保持部の剛性を事後的に高めることで、いわゆるスイングＰＯＰとしての機能を復元させることができる広告体を提供すること。
【解決手段】  取り付け対象物に装着する装着部２０と、メッセージを表示する表示部３０と、装着部２０と表示部３０とを連結する連結部４０と、を有し、連結部４０の幅方向における複数箇所に連結部４０の延設方向に沿って延びる切込４２が形成されていることを特徴とする広告体１０である。
【選択図】図１【図１】
0005897759.tif 000002
【図２】
0005897759.tif 000003
【図３】
0005897759.tif 000004
【図４】
0005897759.tif 000005
【図５】
0005897759.tif 000006